(57)【特許請求の範囲】
【請求項１】
複数の貫通孔が形成されたパターン領域と、前記パターン領域を囲む周辺領域とを含む蒸着マスクを収容するように構成された蒸着マスク用ケースであって、
前記蒸着マスク用ケースが前記蒸着マスクを収容するときに前記蒸着マスクを支持する平坦な支持面を含む支持部と、
前記蒸着マスク用ケースが前記蒸着マスクを収容するときに前記支持部と対向する対向面と、前記対向面から窪む凹部とを含み、前記支持面と対向する視点から見て、前記蒸着マスクの前記パターン領域が前記凹部内に位置し、かつ、前記周辺領域が前記凹部外にまで延びるように前記蒸着マスクを覆うように構成された蓋部と、
前記蓋部を前記支持部から区別するための標識と、
前記蓋部の厚さ方向において前記蓋部と前記蒸着マスクとの間に位置し、前記蓋部の前記凹部を覆う緩衝部と、
前記蒸着マスク用ケースが前記蒸着マスクを収容するとき、前記支持部と前記蓋部とが対向する状態で、前記蓋部の前記対向面から前記支持部に向けて突き出た一対の挟持部であって、前記一対の挟持部は、前記蒸着マスク用ケースの長手方向において、前記凹部を挟むように前記凹部よりも外側に位置し、前記支持部と前記蓋部とが対向する方向において、前記支持部とともに前記蒸着マスクの前記周辺領域を挟むように構成されている前記一対の挟持部と、を備え、
前記緩衝部は、前記蓋部の前記凹部と前記一対の挟持部とを覆う
蒸着マスク用ケース。
【請求項２】
前記蒸着マスク用ケースの長手方向において、前記凹部を挟み、前記凹部よりも外側において前記蓋部および前記支持部に接することによって、前記支持部に前記蓋部を締結する一対の締結部をさらに備える
請求項１に記載の蒸着マスク用ケース。
【請求項３】
前記支持部を前記蓋部に接続するヒンジ部をさらに備える
請求項１または２に記載の蒸着マスク用ケース。
【請求項４】
前記支持部および前記蓋部は、側面に開口を有するプラスチック段ボールによって各々形成され、
前記支持部において、前記プラスチック段ボールの前記開口が、前記支持部の側面に位置し、
前記蓋部において、前記プラスチック段ボールの前記開口が、前記蓋部の側面に位置し、
前記蓋部の前記開口と、前記支持部の前記開口とが塞がれている
請求項１から３のいずれか一項に記載の蒸着マスク用ケース。
【発明の詳細な説明】
【技術分野】
【０００１】
本発明は、蒸着マスクを搬送するために用いられる蒸着マスク用ケースに関する。
【背景技術】
【０００２】
蒸着マスクを搬送するための蒸着マスク用ケースは、支持部と支持部に重なる蓋部とを備えている。蓋部は、支持部に対向する平坦面を有している。支持部は、蓋部の平坦面と対向する面に凹部を有している。凹部は、可撓性を有するフィルムによって覆われている。支持部と蓋部との間に蒸着マスクが収容された場合には、複数の貫通孔が形成されたパターン領域が、フィルムを介して凹部に配置される（例えば、特許文献１を参照）。
【先行技術文献】
【特許文献】
【０００３】
【特許文献１】国際公開第２０１８／０６１７５７号
【発明の概要】
【発明が解決しようとする課題】
【０００４】
ところで、蒸着マスクの搬送時に蒸着マスク用ケースに振動が加えられた場合には、支持部と蓋部とが対向する方向に沿う力が蒸着マスクに作用し、これによって、蒸着マスクのパターン領域は、凹部に向けた凸状に撓む。蒸着マスクのこうした撓みは、蒸着マスクを支持する可撓性のフィルムによって抑えられるとはいえ、蒸着マスク用ケースに加えられる振動の大きさによっては、蒸着マスクのパターン領域を変形させてしまう程度に蒸着マスクがフィルムとともに撓む場合がある。【０００５】
本発明は、蒸着マスクの搬送時において蒸着マスクが有するパターン領域の変形を抑制可能とした蒸着マスク用ケースを提供することを目的とする。
【課題を解決するための手段】
【０００６】
上記課題を解決するための蒸着マスク用ケースは、複数の貫通孔が形成されたパターン領域と、前記パターン領域を囲む周辺領域とを含む蒸着マスクを収容するように構成された蒸着マスク用ケースである。前記蒸着マスク用ケースが前記蒸着マスクを収容するときに前記蒸着マスクを支持する平坦な支持面を含む支持部と、前記蒸着マスク用ケースが前記蒸着マスクを収容するときに前記支持部と対向する対向面と、前記対向面から窪む凹部とを含み、前記支持面と対向する視点から見て、前記蒸着マスクの前記パターン領域が前記凹部内に位置し、かつ、前記周辺領域が前記凹部外にまで延びるように前記蒸着マスクを覆うように構成された蓋部と、前記蓋部を前記支持部から区別するための標識と、を備える。【０００７】
上記蒸着マスク用ケースによれば、凹部を有した蓋部が標識によって容易に識別されるため、蒸着マスクを挟んで、蓋部が支持部上に位置するように支持部に対して蓋部を配置することが容易である。そして、平坦な支持面によって蒸着マスクが支持され、かつ、パターン領域に蓋部が接しない。そのため、支持面によって蒸着マスクの撓みを抑えつつ、蒸着マスク用ケースを介して蒸着マスクに振動が加えられた場合に、蒸着マスクのパターン領域が蓋部に接することが抑えられる。これにより、蒸着マスクの搬送時におけるパターン領域の変形、ひいては、パターン領域に形成された貫通孔の変形が抑えられる。【０００８】
上記蒸着マスク用ケースでは、前記蒸着マスク用ケースの長手方向において、前記凹部を挟み、前記凹部よりも外側において前記蓋部および前記支持部に接することによって、前記支持部に前記蓋部を締結する一対の締結部をさらに備えてもよい。この蒸着マスク用ケースによれば、締結部が支持部と蓋部とを締結するために蒸着マスク用ケースに対して作用させる力が、蒸着マスクのパターン領域を変形させることが抑えられる。【０００９】
上記蒸着マスク用ケースにおいて、前記蓋部の厚さ方向において前記蓋部と前記蒸着マスクとの間に位置し、前記蓋部の前記凹部を覆う緩衝部をさらに備えてもよい。この蒸着マスク用ケースによれば、蓋部の凹部と、対向面のなかで凹部の周囲に位置する部分との間の段差が、蒸着マスクの一部に応力を集中させることを、緩衝部が抑える。【００１０】
上記蒸着マスク用ケースにおいて、前記蒸着マスク用ケースが前記蒸着マスクを収容するとき、前記支持部と前記蓋部とが対向する状態で、前記蓋部の前記対向面から前記支持部に向けて突き出た一対の挟持部であって、前記一対の挟持部は、前記蒸着マスク用ケースの長手方向において、前記凹部を挟むように前記凹部よりも外側に位置し、前記蒸着マスクの厚さ方向において、前記支持部とともに前記蒸着マスクの前記周辺領域を挟むように構成されている前記一対の挟持部をさらに備え、前記緩衝部は、前記蓋部の前記凹部と前記一対の挟持部とを覆ってもよい。【００１１】
上記蒸着マスク用ケースによれば、支持部と蓋部が備える挟持部とによって蒸着マスクが固定されるため、蒸着マスクに振動が加わっても、蒸着マスク用ケース内において蒸着マスクが移動しにくい。それゆえに、パターン領域の変形が抑えられる。【００１２】
上記蒸着マスク用ケースにおいて、前記支持部を前記蓋部に接続するヒンジ部をさらに備えてもよい。この蒸着マスク用ケースによれば、ヒンジ部を有しない場合に比べて、支持部に対する蓋部の位置決めが容易である。【００１３】
上記蒸着マスク用ケースにおいて、前記支持部および前記蓋部は、側面に開口を有するプラスチック段ボールによって形成され、前記支持部において、前記プラスチック段ボールの前記開口が、前記支持部の側面に位置し、前記蓋部において、前記プラスチック段ボールの前記開口が、前記蓋部の側面に位置し、前記蓋部の前記開口と、前記支持部の前記開口とが塞がれていてもよい。
上記蒸着マスク用ケースによれば、蓋部の側面に位置する開口と、支持部の側面に位置する開口との両方が塞がれているため、開口内に異物が堆積することが抑えられる。
【発明の効果】
【００１４】
本発明によれば、蒸着マスクの搬送時において、蒸着マスクが有するパターン領域の変形が抑えられる。
【図面の簡単な説明】
【００１５】
【図１】蒸着マスク用ケースが開いた状態での蒸着マスク用ケースの構造を蒸着マスク用ケースによる搬送の対象である蒸着マスクの構造とともに示す斜視図。
【図２】蒸着マスク用ケースが閉じた状態での蒸着マスク用ケースの構造を示す斜視図。
【図３】蒸着マスク用ケースの構造を蒸着マスク用ケースに収容された蒸着マスクの構造とともに示す断面図。
【図４】蒸着マスク用ケースの構造を蒸着マスク用ケースに収容された蒸着マスクの構造とともに示す断面図。
【図５】蒸着マスク用ケースが備える支持部の構造を示す側面図。
【図６】蒸着マスク用ケースが梱包された状態を示す斜視図。
【図７】蒸着マスク用ケースの第１変更例における構造を示す断面図。
【図８】蒸着マスク用ケースの第１変更例における構造を示す断面図。
【図９】蒸着マスク用ケースの第１変更例における構造を示す断面図。
【図１０】蒸着マスク用ケースの第２変更例における構造を示す斜視図。
【図１１】蒸着マスク用ケースの第２変更例における構造を示す斜視図。
【図１２】蒸着マスク用ケースの第３変更例における構造を示す斜視図。
【図１３】蒸着マスク用ケースの第３変更例における構造を示す斜視図。
【発明を実施するための形態】
【００１６】
図１から図６を参照して、蒸着マスク用ケースの一実施形態を説明する。
図１は、蒸着マスク用ケースが開いた状態での蒸着マスク用ケースの構造を示している。なお、図１では、蒸着マスク用ケースに収容される蒸着マスクの形状が模式的に示されている。
【００１７】
図１が示すように、蒸着マスク用ケース１０は、蒸着マスク２１を収容するケースである。蒸着マスク２１は、複数の貫通孔２１ｈが形成されたパターン領域２１ａと、パターン領域２１ａを囲む周辺領域２１ｂとを含んでいる。蒸着マスク用ケース１０は、支持部１１と蓋部１２とを備えている。支持部１１は、蒸着マスク用ケース１０が蒸着マスク２１を収容するときに蒸着マスク２１を支持する平坦な支持面１１Ｓを含んでいる。蓋部１２は、蒸着マスク用ケース１０が蒸着マスク２１を収容するときに支持部１１と対向する対向面１２Ｓと、対向面１２Ｓから窪む凹部１２Ｓａとを含んでいる。蓋部１２は、支持面１１Ｓと対向する視点から見て、支持部１１に支持された蒸着マスク２１を、パターン領域２１ａが凹部１２Ｓａ内に位置し、かつ、周辺領域２１ｂが凹部１２Ｓａ外にまで延びるように蒸着マスク２１を覆う。
【００１８】
蒸着マスク用ケース１０は、緩衝部１３、一対の挟持部１４、および、ヒンジ部１５をさらに備えている。緩衝部１３は、蓋部１２の厚さ方向において、蓋部１２と蒸着マスク２１との間に位置し、蓋部１２の凹部１２Ｓａを覆っている。
【００１９】
一対の挟持部１４は、支持部１１と蓋部１２とが対向する状態で、蓋部１２の対向面１２Ｓから支持部１１に向けて突き出ている。一対の挟持部１４は、蒸着マスク２１の長手方向、すなわち蒸着マスク用ケース１０の長手方向において、凹部１２Ｓａを挟むように凹部１２Ｓａよりも外側に位置している。一対の挟持部１４は、蒸着マスク２１の厚さ方向において、すなわち、支持部１１と蓋部１２とが対向する方向において、支持部１１とともに蒸着マスク２１の周辺領域２１ｂを挟む。本実施形態において、緩衝部１３は、蓋部１２の凹部１２Ｓａと一対の挟持部１４とを覆っている。
【００２０】
蒸着マスク用ケース１０によれば、蓋部１２の凹部１２Ｓａと、対向面１２Ｓのなかで凹部１２Ｓａの周囲に位置する部分との間の段差が、蒸着マスク２１の一部に応力を集中させることを、緩衝部１３が抑える。また、支持部１１と挟持部１４とによって蒸着マスク２１が固定されるため、蒸着マスク２１に振動が加わっても、蒸着マスク用ケース１０内において蒸着マスク２１が移動しにくい。そのため、パターン領域２１ａの変形が抑えられる。また、蒸着マスク用ケース１０がヒンジ部１５を有しない場合に比べて、支持部１１に対する蓋部１２の位置決めが容易である。また、ヒンジ部１５を有しない場合に比べて、支持部１１に対する蓋部１２の位置が安定に維持される。
【００２１】
蒸着マスク用ケース１０は、２枚のプラスチック段ボールによって形成されている。プラスチック段ボールは、プラスチック段ボールの厚さ方向と直交する方向に沿って延びる直線状を有した中空部を複数備えている。複数の中空部は、プラスチック段ボールが広がる平面に沿う方向において並んでいる。蒸着マスク用ケース１０を製造する際には、まず、２枚のプラスチック段ボールが貼り合わせられる。この際に、一方のプラスチック段ボールが有する中空部が延びる方向と、他方のプラスチック段ボールが有する中空部が延びる方向とが交差するように、２枚のプラスチック段ボールが貼り合わせられる。一方のプラスチック段ボールが有する中空部が延びる方向と、他方のプラスチック段ボールが有する中空部が延びる方向とは、直交することが好ましい。
【００２２】
プラスチック段ボールの一部を切除することによって、２枚のプラスチック段ボールから、支持部１１、蓋部１２、および、ヒンジ部１５が形成される。プラスチック段ボールは、例えばポリプロピレン（ＰＰ）などの合成樹脂によって形成されている。各プラスチック段ボールの厚さは、例えば５ｍｍ以上１５ｍｍ以下であってよい。
【００２３】
支持部１１および蓋部１２の各々は、１つの方向に沿って延びる帯状を有している。支持部１１において長手方向に沿って延びる一辺が、ヒンジ部１５によって、蓋部１２において長手方向に沿って延びる一辺に接続されている。
【００２４】
緩衝部１３は、蓋部１２の長手方向に沿って延びる帯状を有している。緩衝部１３は、樹脂フィルムによって形成されている。緩衝部１３は、例えばポリエチレンテレフタレート（ＰＥＴ）などの合成樹脂によって形成されている。緩衝部１３は、可撓性を有している。緩衝部１３は、帯電防止性を有することができる。緩衝部１３が帯電防止性を有する場合には、緩衝部１３のシート抵抗は、１．０×１０１０Ω／□以上９．０×１０１４Ω／□以下であってよい。緩衝部１３の厚さは、例えば１５０μｍ以上３００μｍ以下であってよい。
【００２５】
各挟持部１４は、蒸着マスク用ケース１０の幅方向に沿って延びる帯状を有している。挟持部１４は例えば樹脂製の板部材によって形成されている。挟持部１４は、発泡性の樹脂によって形成されることが好ましい。挟持部１４は、例えばＰＰなどの合成樹脂によって形成されている。挟持部１４が、発泡性のＰＰによって形成されている場合には、発泡倍率が例えば１．３以上３．０以下であってよく、密度が例えば０．３ｇ／ｃｍ３以上０．７ｇ／ｃｍ３以下であってよい。挟持部１４の厚さは、例えば１００μｍ以上３００μｍ以下であってよい。蒸着マスク用ケース１０の幅方向において、挟持部１４の幅は、蒸着マスク２１の幅以上であることが好ましい。
【００２６】
挟持部１４の面積は、蒸着マスク用ケース１０内に収容される蒸着マスク２１のサイズに応じて適宜変更される。例えば、挟持部１４の幅は１０ｍｍ以上１００ｍｍ以下であってよく、また、挟持部１４の長さは５０ｍｍ以上３５０ｍｍ以下であってよい。なお、挟持部１４の幅とは、蒸着マスク用ケース１０の長手方向に沿う挟持部１４の長さである。また、挟持部１４の長さとは、蒸着マスク用ケース１０の幅方向に沿う挟持部１４の長さである。挟持部１４の長さは、蒸着マスク２１の幅における全長以上であることが好ましい。
【００２７】
蓋部１２において、対向面１２Ｓと凹部１２Ｓａの底部との間の距離が、凹部１２Ｓａの深さである。凹部１２Ｓａの深さは、１枚のプラスチック段ボールの厚さよりも浅くてもよいし、１枚のプラスチック段ボールの厚さと等しくてもよいし、１枚のプラスチック段ボールの厚さよりも深くてもよい。
【００２８】
蒸着マスク２１は、金属製である。蒸着マスク２１は、例えば鉄ニッケル系合金製であってよい。蒸着マスク２１のパターン領域２１ａには、蒸着マスク２１を用いた状態によって形成するパターンの形状に応じた形状を有する貫通孔２１ｈが複数形成されている。各貫通孔２１ｈは、蒸着マスク２１の第１面に開口する第１開口と、蒸着マスク２１の第２面に開口する第２開口とを備えている。蒸着マスク２１の第２面と対向する視点から見て、第２開口の大きさは、第１開口の大きさよりも大きい。蒸着マスク２１が蒸着に用いられる場合には、第１面は蒸着対象に対向し、第２面は蒸着源に対向する。蒸着マスク２１において、周辺領域２１ｂの厚さは、例えば５μｍ以上３０μｍ以下であってよい。周辺領域２１Ｂは、パターンを形成するための貫通孔を有しない。
【００２９】
蒸着マスク２１が蒸着マスク用ケース１０に収容される際には、蒸着マスク２１の厚さ方向において、蒸着マスク２１が一対の無塵紙２２によって挟まれる。無塵紙２２は、蒸着マスク２１が、蒸着マスク２１の周囲に位置する部材に直に接することを抑え、これによって、蒸着マスク２１に傷が生じることを抑えるための間紙である。蒸着マスク２１を挟む一対の無塵紙２２のうち、支持部１１寄りの無塵紙２２に蒸着マスク２１の第２面が接し、かつ、蓋部１２寄りの無塵紙２２に蒸着マスク２１の第１面が接するように、蒸着マスク２１が一対の無塵紙２２によって挟まれる。また、一対の無塵紙２２は、蒸着マスク２１の厚さ方向において、一対のＰＥＴフィルム２３によって挟まれる。
【００３０】
無塵紙２２の厚さは、例えば５０μｍ以上１５０μｍ以下である。ＰＥＴフィルム２３の厚さは、例えば１００μｍ以上３００μｍ以下である。ＰＥＴフィルム２３は、例えば、白色を有してもよい。ＰＥＴフィルム２３は、単一の層によって形成されてもよいし、複数の層によって形成されてもよい。ＰＥＴフィルム２３が例えば２つの層によって形成される場合には、透明な層と白色の層とから形成されてもよい。
【００３１】
ＰＥＴフィルム２３は、帯電防止性を有することができる。ＰＥＴフィルム２３のシート抵抗は、１．０×１０１０Ω／□以上９．０×１０１４Ω／□以下であってよい。これにより、ＰＥＴフィルム２３に蓄積する静電気を低減することができ、静電気に起因してＰＥＴフィルム２３に塵や埃が付着することが抑えられる。
【００３２】
なお、蒸着マスク用ケース１０には、１枚の蒸着マスク２１が収容されてもよいし、複数枚の蒸着マスク２１が一度に収容されてもよい。蒸着マスク用ケース１０が１枚の蒸着マスク２１を収容する場合、および、複数の蒸着マスク２１を収容する場合のいずれであっても、蒸着マスク用ケース１０は、第１面が第２面に対して蓋部１２寄りに位置する状態で各蒸着マスク２１を収容する。
【００３３】
複数枚の蒸着マスク２１が一度に収容される際には、蒸着マスク２１の厚さ方向において、各蒸着マスク２１が一対の無塵紙２２によって挟まれたマスク積層体が複数形成される。そして、マスク積層体とマスク積層体との間にＰＥＴフィルム２３が位置し、かつ、支持部１１および蓋部１２に対してＰＥＴフィルム２３が接するように、複数枚の蒸着マスク２１、複数枚の無塵紙２２、および、複数枚のＰＥＴフィルム２３が重ねられる。蒸着マスク用ケース１０に複数の蒸着マスク２１が収容された場合は、蒸着マスク用ケース１０の厚さ方向において、最も支持部１１寄りに位置する蒸着マスク２１の第２面が、支持部１１の支持面１１Ｓに対向する。
【００３４】
図２は、蒸着マスク用ケース１０が閉じた状態での蒸着マスク用ケース１０の構造を示している。
図２が示すように、蒸着マスク用ケース１０は、蓋部１２を支持部１１から区別するための標識１６を備えている。本実施形態において、標識１６は、例えば、蓋部１２の対向面１２Ｓとは反対側の面である表面１２Ｆに貼り付けられたラベルである。ラベルには、識別情報が記録されている。識別情報は、例えば、品名、ロットナンバー、シリアルナンバー、および、蒸着マスク２１の数量などであってよい。
【００３５】
蒸着マスク用ケース１０は、一対の締結部１７をさらに備えている。一対の締結部１７は、蒸着マスク用ケース１０の長手方向において、凹部１２Ｓａを挟み、凹部１２Ｓａよりも外側において蓋部１２および支持部１１に接することによって、支持部１１に蓋部１２を締結する。そのため、一対の締結部１７が蒸着マスク用ケース１０の長手方向において、凹部１２Ｓａの内側に位置する場合に比べて、締結部１７が支持部１１と蓋部１２とを締結するために蒸着マスク用ケース１０に対して作用させる力が、蒸着マスク２１のパターン領域２１ａを変形させることが抑えられる。ひいては、蒸着マスク２１が有する貫通孔２１ｈの変形が抑えられる。
【００３６】
締結部１７は、例えば粘着テープである。粘着テープは、例えば、各種の合成樹脂によって形成された帯状の本体部と、本体部が有する１つの面に形成された粘着層とを備えることができる。
【００３７】
図３および図４は、蒸着マスク用ケース１０の断面構造を蒸着マスク２１の断面構造とともに示している。なお、図３および図４では、図示の便宜上、無塵紙２２およびＰＥＴフィルム２３の図示を省略している。また、図３および図４には、蒸着マスク用ケース１０が１枚の蒸着マスク２１を収容している状態が一例として示されている。
【００３８】
図３は、蓋部１２の表面１２Ｆに直交し、かつ、挟持部１４を通る平面に沿う蒸着マスク用ケース１０の断面構造、および、蒸着マスク２１の断面構造を示している。図４は、蓋部１２の表面１２Ｆに直交し、かつ、凹部１２Ｓａを通る平面に沿う蒸着マスク用ケース１０の断面構造、および、蒸着マスク２１の断面構造を示している。
【００３９】
図３が示すように、支持部１１は、第１シート１１ａと第２シート１１ｂとから形成されている。第１シート１１ａおよび第２シート１１ｂの各々は、上述したように、１枚のプラスチック段ボールである。蓋部１２は、第１シート１２ａと第２シート１２ｂとから形成されている。第１シート１２ａおよび第２シート１２ｂの各々は、上述したように、１枚のプラスチック段ボールである。支持部１１の第１シート１１ａと蓋部１２の第１シート１２ａとは、同一のプラスチック段ボールにおける互いに異なる一部である。蓋部１２の第２シート１１ｂと蓋部１２の第２シート１２ｂとは、同一のプラスチック段ボールにおける互いに異なる一部である。
【００４０】
第１シート１１ａ，１２ａの厚さは、第２シート１１ｂ，１２ｂの厚さと等しくてもよいし、異なってもよい。第１シート１１ａ，１２ａの厚さが第２シート１１ｂ，１２ｂの厚さと異なる場合には、第１シート１１ａ，１２ａが第２シート１１ｂ，１２ｂよりも厚くてもよいし、第１シート１１ａ，１２ａが第２シート１１ｂ，１２ｂよりも薄くてもよい。なお、第１シート１１ａ，１２ａは、支持部１１に対して蓋部１２を重ねた際に、蒸着マスク用ケース１０の厚さ方向において第２シート１１ｂ，１２ｂの内側に位置する。そのため、第１シート１１ａ，１２ａが第２シート１１ｂ，１２ｂよりも厚いことによって、仮に第２シート１１ｂ，１２ｂが破損した場合であっても、第１シート１１ａ，１２ａによって、蒸着マスク用ケース１０内に収容された蒸着マスク２１を保護することができる。
【００４１】
支持部１１において長手方向に沿って延びる側面は、蓋部１２が支持部１１の上方に位置する状態では、幅方向に沿う断面において、支持面１１Ｓから下方かつヒンジ部１５から離れる方向に傾斜したテーパー面である。また、支持部１１において幅方向に沿って延びる側面は、蓋部１２が支持部１１の上方に位置する状態では、長手方向に沿う断面において、支持面１１Ｓから下方かつ挟持部１４に向かう方向に傾斜したテーパー面である。
【００４２】
蓋部１２において長手方向に沿って延びる側面は、蓋部１２が支持部１１の上方に位置する状態では、幅方向に沿う断面において、対向面１２Ｓから上方かつヒンジ部１５から離れる方向に傾斜したテーパー面である。また、蓋部１２において幅方向に沿って延びる側面は、蓋部１２が支持部１１の上方に位置する状態では、長手方向に沿う断面において、対向面１２Ｓから上方かつ挟持部１４に向かう方向に傾斜したテーパー面である。
【００４３】
挟持部１４は、蒸着マスク用ケース１０の厚さ方向において、緩衝部１３を介して蒸着マスク２１の周辺領域２１ｂに重なっている。挟持部１４は、蓋部１２の対向面１２Ｓにおける一部のみに位置することから、蓋部１２の荷重は、挟持部１４に集中する。そのため、蒸着マスク２１の周辺領域２１ｂが挟持部１４と支持部１１とに挟まれることによって、蒸着マスク用ケース１０が挟持部１４を有しない場合に比べて、蒸着マスク用ケース１０内での蒸着マスク２１の位置が強固に固定される。また、蓋部１２の荷重は、蒸着マスク２１の周辺領域２１ｂに偏るため、蒸着マスク２１のパターン領域２１ａの変形が抑えられる。
【００４４】
図４が示すように、蒸着マスク用ケース１０に蒸着マスク２１が収容された状態において、支持部１１の支持面１１Ｓが蒸着マスク２１のパターン領域２１ａに接している。パターン領域２１ａには、蒸着対象にパターンを形成するための多数の貫通孔２１ｈが形成されている。そのため、蒸着マスク２１において、パターン領域２１ａの機械的な強度は、周辺領域２１ｂの機械的な強度よりも低い。
【００４５】
この点で、蒸着マスク用ケース１０によれば、パターン領域２１ａが支持面１１Ｓによって支持されるため、蒸着マスク２１の搬送時において、パターン領域２１ａが縒れたり撓んだりすることが抑えられ、これによって、パターン領域２１ａの変形が抑えられる。結果として、パターン領域２１ａに形成された貫通孔２１ｈの変形が抑えられる。なお、支持部１１の支持面１１Ｓが平坦面であることから、蒸着マスク２１を蒸着マスク用ケース１０に収容する際に、蒸着マスク２１を支持面１１Ｓに沿って配置することが可能である。そのため、支持部１１が凹部を有する場合に比べて、蒸着マスク２１を蒸着マスク用ケース１０に収容する際に蒸着マスク２１に皺などの変形が生じることが抑えられる。
【００４６】
しかも、上述したように、蒸着マスク用ケース１０は、蒸着マスク２１の第２面が、支持部１１に接する状態で、蒸着マスク２１を収容する。ここで、貫通孔２１ｈでは、蒸着パターンの精度に対する第１開口の寄与が、蒸着パターンの精度に対する第２開口の寄与よりも大きい。この点で、貫通孔２１ｈの第１開口が支持面１１Ｓに対して直に接しないため、蒸着マスク用ケース１０との接触に起因した第１開口の変形を抑えつつ、支持部１１によってパターン領域２１ａを支持することが可能である。
【００４７】
これに対して、第１面のうちでパターン領域２１ａに含まれる部分は、緩衝部１３に接してはいるものの、緩衝部１３のなかで当該部分に接する部分には、蓋部１２が接していない。そのため、蓋部１２を介した衝撃が、パターン領域２１ａに加わりにくい。それゆえに、パターン領域２１ａの変形が抑えられる。
【００４８】
上述した蒸着マスク用ケース１０によるように、支持部１１がパターン領域２１ａを支持するための平坦な支持面１１Ｓを有し、かつ、蓋部１２がパターン領域２１ａとの接触を避けるための凹部１２Ｓａを有することによって、パターン領域２１ａの変形、ひいては貫通孔２１ｈの変形を好適に抑えることが可能である。
【００４９】
なお、蒸着マスク用ケース１０に複数の蒸着マスク２１が収容される場合には、複数の蒸着マスク２１を含む積層体が、支持部１１によって支持される。これにより、積層体に含まれる複数の蒸着マスク２１が有するパターン領域２１ａの変形、ひいては貫通孔２１ｈの変形が抑えられる。
【００５０】
図５は、蒸着マスク用ケース１０が閉じている状態において、支持部１１における幅方向に沿って延びる側面と対向する視点から見た支持部１１の側面構造を示している。
【００５１】
図５が示すように、また、上述したように、支持部１１は、第１シート１１ａと第２シート１１ｂとから形成されている。図５が示す例では、第２シート１１ｂが有する中空部１１ｂｈは、紙面の奥行き方向に沿って延びている。これに対して、第１シート１１ａが有する中空部１１ａｈは、紙面の左右方向に沿って延びている。第２シート１１ｂが有する中空部１１ｂｈは、第１シート１１ａが有する中空部１１ａｈに対して直交している。これにより、第１シート１１ａが有する中空部１１ａｈと、第２シート１１ｂが有する中空部１１ｂｈとが平行である場合に比べて、蒸着マスク用ケース１０の機械的な強度を高めることができる。
【００５２】
第２シート１１ｂにおいて、各中空部１１ｂｈの開口１１ｂＡが、支持部１１の側面に位置している。各開口１１ｂＡは、塞がれている。例えば、第２シート１１ｂの加工時において、プラスチック段ボールに熱が加えられることによって、各開口１１ｂＡが塞がれる。また、例えば、支持部１１の側面に位置する開口１１ｂＡを塞ぐための材料を中空部１１ｂｈに埋め込むことによって、各開口１１ｂＡが塞がれる。また例えば、第２シート１１ｂの側面に粘着シートが貼り付けられることによって、各開口１１ｂＡが塞がれる。
【００５３】
また、第１シート１１ａの各中空部１１ａｈは、蒸着マスク用ケース１０の長手方向に沿って延びる側面に開口１１ａＡを有している。第２シート１１ｂの中空部１１ｂｈが有する開口１１ｂＡと同様、第１シート１１ａの中空部１１ａｈが有する開口１１ａＡも塞がれている。第１シート１１ａの中空部１１ａｈが有する開口１１ａＡは、第２シート１１ｂの中空部１１ｂｈが有する開口１１ｂＡの方法のうちのいずれかの方法によって塞がれている。なお、第１シート１１ａの開口１１ａＡを塞ぐ方向と、第２シート１１ｂの開口１１ｂＡを塞ぐ方法とは同じ方法であってもよいし、異なる方法であってもよい。
【００５４】
なお、蓋部１２の側面に位置する開口も、支持部１１の側面に位置する開口と同様に塞がれている。このように、蒸着マスク用ケース１０では、蓋部１２の側面に位置する開口と、支持部１１の側面に位置する開口１１ａＡ，１１ｂＡとの両方が塞がれているため、開口内に異物が堆積することが抑えられる。それゆえに、蒸着マスク２１の搬入によって、蒸着マスク２１が適用される蒸着装置が設置されたクリーンルームに、蒸着マスク２１とともに異物が運び込まれることが抑えられる。
【００５５】
図６は、蒸着マスク用ケース１０が第１の拠点から第２の拠点に搬送される際の蒸着マスク用ケース１０の状態を示している。第１の拠点は、例えば蒸着マスク２１の製造が行われる拠点であり、第２の拠点は、例えば蒸着マスク２１を用いた蒸着対象に対するパターンの形成が行われる拠点である。
【００５６】
図６が示すように、蒸着マスク用ケース１０が搬送される際には、蒸着マスク用ケース１０は、外装３１によって覆われている。外装３１は、外装３１を介して蒸着マスク用ケース１０が有する標識１６に記録された情報を視認することが可能な光透過性を有することが好ましい。外装３１は、透明または半透明であることが好ましい。外装３１は、例えば、各種の合成樹脂によって形成された袋やシートであってよい。蒸着マスク用ケース１０が外装３１によって覆われることによって、蒸着マスク用ケース１０に異物が付着することが抑えられる。これにより、蒸着マスク２１の搬入によって、蒸着マスク２１が適用される蒸着装置が設置されたクリーンルームに、蒸着マスク２１とともに異物が運び混まれることが抑えられる。
【００５７】
以上説明したように、蒸着マスク用ケースの一実施形態によれば、以下に記載の効果を得ることができる。
（１）凹部１２Ｓａを有した蓋部１２が標識１６によって容易に識別されるため、蒸着マスク２１を挟んで、蓋部１２が支持部１１上に位置するように支持部１１に対して蓋部１２を配置することが容易である。そして、平坦な支持面１１Ｓによって蒸着マスク２１が支持され、かつ、パターン領域２１ａに蓋部１２が接しない。そのため、支持面１１Ｓによって蒸着マスク２１の撓みを抑えつつ、蒸着マスク用ケース１０を介して蒸着マスク２１に振動が加えられた場合に、蒸着マスク２１のパターン領域２１ａが蓋部１２に接することが抑えられる。これにより、蒸着マスク２１の搬送時におけるパターン領域２１ａの変形、ひいては、パターン領域２１ａに形成された貫通孔２１ｈの変形が抑えられる。
【００５８】
（２）締結部１７が支持部１１と蓋部１２とを締結するために蒸着マスク用ケース１０に対して作用させる力が、蒸着マスク２１のパターン領域２１ａを変形させることが抑えられる。
【００５９】
（３）蓋部１２の凹部１２Ｓａと、対向面１２Ｓのなかで凹部１２Ｓａの周囲に位置する部分との間の段差が蒸着マスク２１の一部に応力を集中させることが、緩衝部１３によって抑えられる。
【００６０】
（４）支持部１１と挟持部１４とによって蒸着マスク２１が固定される。そのため、蒸着マスク２１に振動が加わっても、蒸着マスク用ケース１０内において蒸着マスク２１が移動しにくい。それゆえに、パターン領域２１ａの変形が抑えられる。
【００６１】
（５）ヒンジ部１５が支持部１１を蓋部１２に接続しているため、ヒンジ部１５を有しない場合に比べて、支持部１１に対する蓋部１２の位置決めが容易である。
（６）蓋部１２の側面に位置する開口と、支持部１１の側面に位置する開口１１ａＡ，１１ｂＡとの両方が塞がれているため、開口内に異物が堆積することが抑えられる。
【００６２】
なお、上述した実施形態は、以下のように変更して実施することができる。
［外装］
・蒸着マスク用ケース１０の搬送に際して、蒸着マスク用ケース１０を覆う外装３１が用いられなくてもよい。
【００６３】
［支持部］
・支持部１１の側面に位置する開口１１ａＡ，１１ｂＡは、塞がれていなくてもよい。この場合であっても、上述した（１）から（５）に準じた効果を得ることはできる。
【００６４】
［蓋部］
・蓋部１２の側面に位置する開口は、塞がれていなくてもよい。この場合であっても、上述した（１）から（５）に準じた効果を得ることはできる。
【００６５】
［ヒンジ部］
・蒸着マスク用ケース１０は、ヒンジ部１５を有しなくてもよい。すなわち、蒸着マスク用ケース１０において、支持部１１は、蓋部１２から分離されていてもよい。支持部１１と蓋部１２とが分離されていることによって、例えば、蒸着マスク用ケース１０の搬送時に蒸着マスク用ケース１０が加熱され、これによって蒸着マスク用ケース１０が膨張した場合であっても、蒸着マスク用ケース１０に歪みが生じることが抑えられる。
【００６６】
なお、蒸着マスク用ケース１０がヒンジ部１５を有する場合には、支持部１１と蓋部１２との間の距離が、蒸着マスク用ケース１０に収容する蒸着マスク２１の枚数に応じた距離になるように、ヒンジ部１５が設計される。この際に、蒸着マスク２１、無塵紙２２、および、ＰＥＴフィルム２３の積層体に対して蓋部１２がほぼ均一な力を作用させた状態で、蒸着マスク用ケース１０が蒸着マスク２１を収容するように、ヒンジ部１５が設計される。そのため、設計時に設定された枚数よりも少ない枚数の蒸着マスク２１を蒸着マスク用ケース１０に収容する場合には、無塵紙２２やＰＥＴフィルム２３などを追加することによって、積層体の厚さを厚くする必要がある。
【００６７】
これに対して、蒸着マスク用ケース１０がヒンジ部１５を有しない場合には、蒸着マスク用ケース１０内に収容される蒸着マスク２１の枚数に関わらず、蒸着マスク２１、無塵紙２２、および、ＰＥＴフィルム２３の積層体に支持部１１と蓋部１２とが接する。そのため、蒸着マスク用ケース１０が、積層体に対してほぼ均一な力を作用させた状態で、蒸着マスク２１を収容することができる。
【００６８】
・図７が示すように、ヒンジ部１５は、支持側ヒンジ部１５ａと蓋側ヒンジ部１５ｂとを備えてもよい。ヒンジ部１５において、支持側ヒンジ部１５ａは接続部１５ａ１によって支持部１１に接続され、蓋側ヒンジ部１５ｂは接続部１５ｂ１によって蓋部１２に接続されている。ヒンジ部１５は接続部１５ｃをさらに備え、接続部１５ｃは、支持側ヒンジ部１５ａを蓋側ヒンジ部１５ｂに接続している。ヒンジ部１５は、接続部１５ｃにおける折り曲げが可能である。ヒンジ部１５は、支持部１１における支持面１１Ｓとは反対側の面と、蓋部１２の表面１２Ｆとを対向させるように、接続部１５ｃにおいて折れ曲がる。
【００６９】
図８が示すように、蒸着マスク用ケース１０が開かれた状態では、支持部１１、ヒンジ部１５、および、蓋部１２が記載の順に並び、かつ、支持部１１、ヒンジ部１５、および、蓋部１２が同一平面上に位置することが可能である。蒸着マスク用ケース１０は、接続部１５ｃを起点として折れ曲がることが可能であり、これによって、蓋部１２が、接続部１５ｃを回転軸として、蓋部１２に近付く方向に回動する。この際に、蒸着マスク用ケース１０に収容された蒸着マスク２１は、支持面１１Ｓに位置した状態に維持される。
【００７０】
図９が示すように、蓋部１２の回動によって、支持部１１と蓋部１２との接続が維持された状態で、支持部１１における支持面１１Ｓとは反対側の面と、蓋部１２の表面１２Ｆとが対向する。これにより、支持部１１が、蓋部１２上に重なる。この際にも、蒸着マスク用ケース１０に支持された蒸着マスク２１は、支持面１１Ｓに位置した状態に維持される。
【００７１】
蒸着マスク用ケース１０が上述したヒンジ部１５を備えることによって、蒸着マスク用ケース１０に収容された蒸着マスク２１が支持面１１Ｓ上に位置する状態を維持しながら、蒸着マスク用ケース１０を開き、かつ、支持部１１を蓋部１２上に重ねることが可能である。そのため、蒸着マスク２１が蒸着マスク用ケース１０の外部に露出させつつ、蒸着マスク用ケース１０が載置される面積を小さくすることが可能である。
【００７２】
［挟持部］
・蒸着マスク用ケース１０は、挟持部１４を有しなくてもよい。この場合であっても、上述した（１）から（３）、（５）および（６）に準じた効果を得ることはできる。
【００７３】
［緩衝部］
・蒸着マスク用ケース１０は、緩衝部１３を有しなくてもよい。この場合であっても、上述した（１）、（２）、および、（４）から（６）に準じた効果を得ることはできる。
【００７４】
［締結部］
・蒸着マスク用ケース１０は、締結部１７を有しなくてもよい。この場合であっても、上述した（１）、および、（３）から（６）に準じた効果を得ることはできる。
【００７５】
［標識］
・標識１６はラベルに限らず、例えば、蒸着マスク用ケース１０に対する印刷によって形成された印刷部であってもよい。あるいは、標識１６は、蒸着マスク用ケース１０に形成された凹部および凸部の少なくとも一方によって形成されてもよい。
【００７６】
・標識１６によって、支持部１１と蓋部１２との区別が可能であればよいため、標識１６は、蓋部１２の表面１２Ｆに位置しなくてもよい。例えば、標識１６は、蓋部１２の側面に位置してもよいし、蓋部１２の表面１２Ｆと蓋部１２の側面とに跨がる形状を有してもよい。また、蓋部１２の対向面１２Ｓに位置してもよい。標識１６が蓋部１２の対向面１２Ｓに位置する場合には、蓋部１２は、蓋部１２を介して標識１６を視認することが可能な光透過性が必要である。また、標識１６は、支持部１１に位置してもよい。この場合には、標識１６は、支持部１１の側面に位置してもよいし、支持部１１の側面と支持部１１における支持面１１Ｓとは反対側の面とに跨がる形状を有してもよい。
【００７７】
［補強板および嵌合片］
・蒸着マスク用ケース１０は、以下に説明する補強板および嵌合片の少なくとも一方をさらに備えてもよい。以下において参照する図１０から図１３では、図示の便宜上、支持部１１と蓋部１２とを互いに接続するヒンジ部１５の図示が省略されている。なお、以下に説明する蒸着マスク用ケース１０は、ヒンジ部１５を備えていなくてもよい。
【００７８】
図１０が示すように、蒸着マスク用ケース１０は、支持側補強板１８と蓋側補強板１９とを備えている。支持側補強板１８は支持部１１の長手方向に沿って延びる矩形帯状を有し、支持側補強板１８上には、支持部１１が重ねられている。蓋側補強板１９は蓋部１２の長手方向に沿って延びる矩形帯状を有し、蓋側補強板１９上には、蓋部１２が重ねられている。
【００７９】
支持部１１と蓋部１２とは、例えば合成樹脂製である。支持側補強板１８の剛性は、支持部１１の剛性以上であることが好ましいが、支持側補強板１８の剛性は、支持部１１の剛性よりも小さくてもよい。蓋側補強板１９の剛性は、蓋部１２の剛性以上であることが好ましいが、蓋側補強板１９の剛性は、蓋部１２の剛性よりも小さくてもよい。
【００８０】
支持側補強板１８は、一対の嵌合片１８ａを備えている。嵌合片１８ａは、支持側補強板１８の長手方向における各端部に位置している。各嵌合片１８ａは、支持部１１の厚さ方向において、支持部１１の支持面１１Ｓよりも突き出ている。支持面１１Ｓに対する嵌合片１８ａの突出量は、蓋部１２の厚さとほぼ等しい。嵌合片１８ａの突出量は、蓋部１２の厚さ以下であることが好ましい。
【００８１】
蓋側補強板１９は、一対の嵌合片１９ａを備えている。嵌合片１９ａは、蓋側補強板１９の長手方向における各端部に位置している。各嵌合片１９ａは、蓋部１２の厚さ方向において、蓋部１２の対向面１２Ｓよりも突き出ている。対向面１２Ｓに対する嵌合片１９ａの突出量は、支持部１１の厚さ以下であってもよいし、支持部１１の厚さよりも大きく、かつ、支持部１１の厚さと支持側補強板１８の厚さとの総和未満であってもよい。
【００８２】
蓋部１２の長手方向に沿う蓋側補強板１９の長さは、蓋部１２の長さよりも長い。これにより、蓋部１２の長手方向において、嵌合片１９ａと蓋部１２との間に、支持側補強板１８の嵌合片１８ａが差し込まれる空間が形成される。
【００８３】
図１１には、支持部１１に対して蓋部１２が重ねられた状態が示されている。
図１１が示すように、蓋部１２が支持部１１に重ねられることによって、蓋部１２と嵌合片１９ａとの間に形成された空間に、支持側補強板１８の嵌合片１８ａが差し込まれる。補強板１８，１９を備える蒸着マスク用ケース１０によれば、支持部１１と蓋部１２との機械的な強度が高められる。
【００８４】
そのため、蒸着マスク用ケース１０に作用する外力に起因して蒸着マスク用ケース１０が変形することが抑えられる。また、補強板１８，１９が嵌合片１８ａ，１９ａを備えることによって、蒸着マスク用ケース１０に振動などが作用しても、支持部１１に対する蓋部１２の位置がずれにくくなる。これによって、蒸着マスク用ケース１０が閉じた状態に保たれやすくなる。また、支持部１１に対する蓋部１２の位置決めが容易である。なお、これらの効果は、蒸着マスク用ケース１０がヒンジ部１５を備えていない場合に特に顕著である。
【００８５】
なお、上述した蒸着マスク用ケース１０では、蓋部１２と嵌合片１９ａとの間に形成された空間に支持側補強板１８の嵌合片１８ａが差し込まれるが、蒸着マスク用ケース１０は、支持部１１と嵌合片１８ａとの間に形成された空間に蓋側補強板１９の嵌合片１９ａが差し込まれる構造を有してもよい。また、嵌合片１８ａが支持側補強板１８の幅方向における各端部に１つずつ位置し、かつ、嵌合片１９ａが蓋側補強板１９の幅方向における各端部に１つずつ位置してもよい。
【００８６】
また、支持側補強板１８および蓋側補強板１９の各々は、嵌合片１８ａ，１９ａを１つのみ備えてもよい。この場合には、支持側補強板１８の嵌合片１８ａと蓋側補強板１９の嵌合片１９ａとの両方が、蓋部１２と対向する視点から見て、蓋部１２において互いに対向する一対の辺の一方に重なるように配置されていればよい。
【００８７】
蒸着マスク用ケース１０は、支持側補強板１８と蓋側補強板１９とのいずれか一方のみを備えてもよい。以下、図１２および図１３を参照して、蒸着マスク用ケース１０が支持側補強板１８を備える一方で、蓋側補強板１９を備えていない構成を説明する。
【００８８】
図１２が示すように、蒸着マスク用ケース１０は、支持側補強板１８を備えている。支持部１１と対向する視点から見て、支持側補強板１８は、支持部１１とほぼ同じ形状およびほぼ同じ大きさを有している。
【００８９】
蒸着マスク用ケース１０は、２つの嵌合片１９ａを備えている。嵌合片１９ａは、蓋部１２が有する４つの角部のうちの２つの角部に１つずつ位置している。図１２が示す例では、２つの嵌合片１９ａは、４つの角部のうちで、長手方向に沿って延びる蓋部１２の１辺上に並ぶ２つの角部に１つずつ位置している。なお、２つの嵌合片１９ａは、４つの角部のうちの任意の２つの角部に位置してよい。また、蒸着マスク用ケース１０は、３つまたは４つの嵌合片１９ａを有してもよいし、１つの嵌合片１９ａのみを有してもよい。
【００９０】
図１２が示す例では、蓋部１２と対向する視点からみて、各嵌合片１９ａはＬ字状を有するが、各嵌合片１９ａはＵ字状を有してもよい。各嵌合片１９ａは、蓋部１２の厚さ方向において、蓋部１２の対向面１２Ｓよりも突き出ている。対向面１２Ｓに対する嵌合片１９ａの突出量は、支持部１１の厚さ未満でもよいし、支持部１１の厚さ以上、かつ、支持部１１の厚さと支持側補強板１８の厚さとの総和以下でもよい。
【００９１】
図１３には、支持部１１に対して蓋部１２が重ねられた状態が示されている。
図１３が示すように、蓋部１２が支持部１１に重ねられることによって、各嵌合片１９ａが、支持側補強板１８と支持部１１との積層体が有する角部に嵌め込まれる。各嵌合片１９ａは、積層体が有する４つの角部のうち、互いに異なる角部に嵌め込まれる。
【００９２】
そのため、蒸着マスク用ケース１０に振動などが作用しても、支持部１１に対する蓋部１２の位置がずれにくくなる。これによって、蒸着マスク用ケース１０が閉じた状態に保たれやすくなる。また、支持部１１に対する蓋部１２の位置決めが容易である。なお、これらの効果は、蒸着マスク用ケース１０がヒンジ部１５を備えていない場合に特に顕著である。
【００９３】
なお、蒸着マスク用ケース１０は、嵌合片１９ａを備える一方で、支持側補強板１８を備えていなくてもよい。また、蒸着マスク用ケース１０は、蓋部１２に位置する嵌合片１９ａと、支持部１１に位置し、かつ、Ｌ字状またはＵ字状を有した嵌合片との両方を有してもよい。この場合には、支持部１１と蓋部１２とが重ねられた状態において、蓋部１２の嵌合片１９ａと支持部１１の嵌合片とが、蒸着マスク用ケース１０のなかで、互いに異なる角部に位置していればよい。また、嵌合片は、支持部１１が備える角部に位置する一方で、蓋部１２が備える角部に位置しなくてもよい。
【００９４】
図１０および図１１を参照して先に説明した蒸着マスク用ケース１０において、支持側補強板１８が備える嵌合片１８ａ、および、蓋側補強板１９が備える嵌合片１９ａの少なくとも一方は、蓋部１２と対向する視点から見て、Ｌ字状またはＵ字状を有してもよい。
【００９５】
［蒸着マスク用ケース］
・蒸着マスク用ケース１０は、１枚のプラスチック段ボールによって形成されてもよいし、３枚以上のプラスチック段ボールによって形成されてもよい。
【００９６】
・蒸着マスク用ケース１０は、プラスチック段ボールの厚さ方向に沿って延びる複数の中空部であって、ハニカム状に並ぶ複数の中空部を有したプラスチック段ボールによって形成されてもよい。
【００９７】
・蒸着マスク用ケース１０は、プラスチック段ボールによって形成されていなくてもよい。この場合には、蒸着マスク用ケース１０は、例えば各種の合成樹脂によって形成された板部材から形成されてもよい。あるいは、蒸着マスク用ケース１０は、金属製の板部材から形成されてもよい。
【符号の説明】
【００９８】
１０…蒸着マスク用ケース
１１…支持部
１１Ｓ…支持面
１２…蓋部
１２Ｓ…対向面
１２Ｓａ…凹部
１６…標識
１７…締結部
２１…蒸着マスク
２１ａ…パターン領域
２１ｂ…周辺領域
２２…無塵紙
２３…ＰＥＴフィルム
【要約】複数の貫通孔が形成されたパターン領域と、パターン領域を囲む周辺領域とを含む蒸着マスクを収容するように構成された蒸着マスク用ケースである。蒸着マスク用ケースが蒸着マスクを収容するときに蒸着マスクを支持する平坦な支持面を含む支持部と、蒸着マスク用ケースが蒸着マスクを収容するときに支持部と対向する対向面と、対向面から窪む凹部とを含み、支持面と対向する視点から見て、蒸着マスクのパターン領域が凹部内に位置し、かつ、周辺領域が凹部外にまで延びるように蒸着マスクを覆うように構成された蓋部と、蓋部を支持部から区別するための標識とを備える。【図１】
0006904502.tif 000002
【図２】
0006904502.tif 000003
【図３】
0006904502.tif 000004
【図４】
0006904502.tif 000005
【図５】
0006904502.tif 000006
【図６】
0006904502.tif 000007
【図７】
0006904502.tif 000008
【図８】
0006904502.tif 000009
【図９】
0006904502.tif 000010
【図１０】
0006904502.tif 000011
【図１１】
0006904502.tif 000012
【図１２】
0006904502.tif 000013
【図１３】
0006904502.tif 000014